(57)【特許請求の範囲】
【請求項１】
通信回線と端末との間に設けられた通信接続装置を介して端末からダイヤルアップ接続によりインターネット接続を行う通信接続方法であって、
端末においてダイヤルアップ接続を行うに当たってダイヤルアップ接続先の電話番号、ユーザＩＤ、パスワードを発信要求情報とともに問合せ情報として設定したネーム問合せパケットを作成して通信接続装置に送信し、
通信接続装置においては端末から送信されるネーム問合せパケットを検出すると、該パケットに含まれる問合せ情報を解析し、発信要求情報を検出した場合には、該パケットに含まれる電話番号、ユーザＩＤ、パスワードを検出し、この検出した電話番号、ユーザＩＤ、パスワードを使用してダイヤルアップ接続処理を行うこと
を特徴とする通信接続方法。
【請求項２】
端末においてダイヤルアップ接続を切断するに当たって切断したいダイヤルアップ接続先の電話番号を切断要求情報とともに問合せ情報として設定したネーム問合せパケットを作成して通信接続装置に出力し、
通信接続装置においては端末から送信されるネーム問合せパケットを検出すると、該パケットに含まれる問合せ情報を解析し、切断要求情報を検出した場合には、該パケットに含まれる電話番号に対するダイヤルアップ接続呼を切断すること
を特徴とする請求項１記載の通信接続方法。
【請求項３】
通信回線と端末との間に設けられ、端末からのダイヤルアップ接続によるインターネット接続を介在する通信接続装置であって、
端末においてダイヤルアップ接続を行うに当たってダイヤルアップ接続先の電話番号、ユーザＩＤ、パスワードを発信要求情報とともに問合せ情報として設定して送信されるネーム問合せパケットを受信する受信手段と、
この受信したネーム問合せパケットに含まれる問合せ情報を解析する解析手段と、
この解析の結果、発信要求情報を検出した場合には、該パケットに含まれる電話番号、ユーザＩＤ、パスワードを検出し、この検出した電話番号、ユーザＩＤ、パスワードを使用してダイヤルアップ接続処理を行うダイヤルアップ接続手段と
を有することを特徴とする通信接続装置。
【請求項４】
端末においてダイヤルアップ接続を切断するに当たって切断したいダイヤルアップ接続先の電話番号を切断要求情報とともに問合せ情報として設定して送信されるネーム問合せパケットを前記受信手段で受信し、この受信したネーム問合せパケットに含まれる問合せ情報を前記解析手段で解析した結果、切断要求情報を検出した場合には、該パケットに含まれる電話番号に対するダイヤルアップ接続呼を切断する切断手段を有することを特徴とする請求項３記載の通信接続装置。
【発明の詳細な説明】
【０００１】
【発明の属する技術分野】
本発明は、通信回線と端末との間に設けられた通信接続装置を介して端末からダイヤルアップ接続によりインターネット接続を行う通信接続方法および通信回線と端末との間に設けられ、端末からのダイヤルアップ接続によるインターネット接続を介在する通信接続方法および装置に関する。
【０００２】
【従来の技術】
一般的に、ユーザがインターネット上でホームページなどのリソースにアクセスしようとする場合には、ユーザはＷＷＷブラウザ等のＬＡＮ端末上のアプリケーションソフトウェアからアクセスしたい場所をhttp://www.ntt.co.jp/ のような形式で入力する。アプリケーションソフトウェアにおいては、この入力を検出すると、ホスト名“www.ntt.co.jp ”のインターネットアドレスを解析するために、ＤＮＳ（Domain Name System）サーバに対してネーム問合せパケットを送信する。そして、前記ＤＮＳサーバからのネーム回答パケットで前記“www.ntt.co.jp ”に対するＩＰアドレスを通知されると、該ＩＰアドレスを宛先アドレスとしてＩＰパケットの送信を開始する。
【０００３】
このようなアプリケーションソフトウェアの特性を利用して、ＬＡＮ端末からＤＮＳサーバへのネーム問合せパケットの受信をトリガとして、ＮＡＳ（Network Access Server ）へ自動的にダイヤルアップ接続を行うダイヤルアップ接続ルータ装置が従来実現されているが、このようなルータ装置においては、ダイヤルアップ接続先の電話番号、各接続先毎に決められているユーザＩＤ、およびパスワードを事前に登録しておく必要がある。
【０００４】
【発明が解決しようとする課題】
上述した従来のダイヤルアップ接続ルータ装置を使用する方法では、ダイヤルアップ接続先の電話番号、各接続先毎に決められているユーザＩＤ、およびパスワードを事前に登録しておく必要があるので、アクセスしたい場所毎にダイヤルアップ接続先を変更する場合には、ルータ装置において、ダイヤルアップ接続先の電話番号、各接続先毎に決められているユーザＩＤおよびパスワードを事前に変更しておく必要があり、このように設定などの操作が面倒であるという問題がある。
【０００５】
本発明は、上記に鑑みてなされたもので、その目的とするところは、インターネットのアクセス毎にダイヤルアップ接続先を自由に変更することができる通信接続方法および装置を提供することにある。
【０００６】
【課題を解決するための手段】
上記目的を達成するため、請求項１記載の本発明は、通信回線と端末との間に設けられた通信接続装置を介して端末からダイヤルアップ接続によりインターネット接続を行う通信接続方法であって、端末においてダイヤルアップ接続を行うに当たってダイヤルアップ接続先の電話番号、ユーザＩＤ、パスワードを発信要求情報とともに問合せ情報として設定したネーム問合せパケットを作成して通信接続装置に送信し、通信接続装置においては端末から送信されるネーム問合せパケットを検出すると、該パケットに含まれる問合せ情報を解析し、発信要求情報を検出した場合には、該パケットに含まれる電話番号、ユーザＩＤ、パスワードを検出し、この検出した電話番号、ユーザＩＤ、パスワードを使用してダイヤルアップ接続処理を行うことを要旨とする。
【０００７】
請求項１記載の本発明にあっては、端末においてダイヤルアップ接続を行うに当たってダイヤルアップ接続先の電話番号、ユーザＩＤ、パスワードを発信要求情報とともに設定したネーム問合せパケットを送信すると、このネーム問合せパケットを検出し、該パケットに含まれる電話番号、ユーザＩＤ、パスワードを使用してダイヤルアップ接続処理を行うため、従来のようにダイヤルアップ接続先の電話番号、各接続先毎に決められているユーザＩＤ、パスワードを事前に登録しておく必要がなく、インターネットへのアクセス毎にダイヤルアップ接続先を自由に変更することができ、使い勝手を向上することができる。
【０００８】
また、請求項２記載の本発明は、請求項１記載の発明において、端末においてダイヤルアップ接続を切断するに当たって切断したいダイヤルアップ接続先の電話番号を切断要求情報とともに問合せ情報として設定したネーム問合せパケットを作成して通信接続装置に出力し、通信接続装置においては端末から送信されるネーム問合せパケットを検出すると、該パケットに含まれる問合せ情報を解析し、切断要求情報を検出した場合には、該パケットに含まれる電話番号に対するダイヤルアップ接続呼を切断することを要旨とする。
【０００９】
請求項２記載の本発明にあっては、端末において切断したいダイヤルアップ接続先の電話番号を切断要求情報とともに設定したネーム問合せパケットを送信すると、このパケットを検出し、該パケットに含まれる電話番号に対するダイヤルアップ接続呼を切断することができる。
【００１０】
更に、請求項３記載の本発明は、通信回線と端末との間に設けられ、端末からのダイヤルアップ接続によるインターネット接続を介在する通信接続装置であって、端末においてダイヤルアップ接続を行うに当たってダイヤルアップ接続先の電話番号、ユーザＩＤ、パスワードを発信要求情報とともに問合せ情報として設定して送信されるネーム問合せパケットを受信する受信手段と、この受信したネーム問合せパケットに含まれる問合せ情報を解析する解析手段と、この解析の結果、発信要求情報を検出した場合には、該パケットに含まれる電話番号、ユーザＩＤ、パスワードを検出し、この検出した電話番号、ユーザＩＤ、パスワードを使用してダイヤルアップ接続処理を行うダイヤルアップ接続手段とを有することを要旨とする。
【００１１】
請求項３記載の本発明にあっては、端末においてダイヤルアップ接続を行うに当たってダイヤルアップ接続先の電話番号、ユーザＩＤ、パスワードを発信要求情報とともに設定したネーム問合せパケットを送信すると、このネーム問合せパケットを検出し、該パケットに含まれる電話番号、ユーザＩＤ、パスワードを使用してダイヤルアップ接続処理を行うため、従来のようにダイヤルアップ接続先の電話番号、各接続先毎に決められているユーザＩＤ、パスワードを事前に登録しておく必要がなく、インターネットへのアクセス毎にダイヤルアップ接続先を自由に変更することができ、使い勝手を向上することができる。
【００１２】
請求項４記載の本発明は、請求項３記載の発明において、端末においてダイヤルアップ接続を切断するに当たって切断したいダイヤルアップ接続先の電話番号を切断要求情報とともに問合せ情報として設定して送信されるネーム問合せパケットを前記受信手段で受信し、この受信したネーム問合せパケットに含まれる問合せ情報を前記解析手段で解析した結果、切断要求情報を検出した場合には、該パケットに含まれる電話番号に対するダイヤルアップ接続呼を切断する切断手段を有することを要旨とする。
【００１３】
請求項４記載の本発明にあっては、端末において切断したいダイヤルアップ接続先の電話番号を切断要求情報とともに設定したネーム問合せパケットを送信すると、このパケットを検出し、該パケットに含まれる電話番号に対するダイヤルアップ接続呼を切断することができる。
【００１４】
【発明の実施の形態】
以下、図面を用いて本発明の実施の形態を説明する。図１は、本発明の一実施形態に係る通信接続方法を実施する通信接続装置を適用したシステム構成を示す図である。同図に示すように、ＬＡＮ端末１は、通信接続装置３を介して電話回線５に接続されている。ＬＡＮ端末１を所有するユーザは、異なる３つのインターネットサービスプロバイダと契約しており、それぞれのインターネットサービスプロバイダのダイヤルアップ接続先が（ＮＡＳ＃１）７ａ、（ＮＡＳ＃２）７ｂ、（ＮＡＳ＃３）７ｃとして示すように電話回線５とインターネット９との間に接続されている。
【００１５】
ダイヤルアップ接続先（ＮＡＳ＃１）７ａ、（ＮＡＳ＃２）７ｂ、（ＮＡＳ＃３）７ｃのそれぞれの電話番号、パスワード、ユーザＩＤは、（ＴＥＬ＃１，ＵＳＥＲ＃１，ＰＡＳＳ＃１）、（ＴＥＬ＃２，ＵＳＥＲ＃２，ＰＡＳＳ＃２）、（ＴＥＬ＃３，ＵＳＥＲ＃３，ＰＡＳＳ＃３）である。
【００１６】
次に、図２に示すフローチャートを参照して、図１に示す実施形態の作用を説明する。この説明では、ユーザがＬＡＮ端末１からダイヤルアップ接続先（ＮＡＳ＃１）７ａにダイヤルアップ接続を行う場合について説明する。
【００１７】
ユーザは、ダイヤルアップ接続先（ＮＡＳ＃１）７ａにダイヤルアップ接続したい場合には、ＬＡＮ端末１上のアプリケーションソフトウェアである例えばＷＷＷブラウザを用いて、ダイヤルアップ接続先（ＮＡＳ＃１）７ａの電話番号ＴＥＬ＃１、ユーザＩＤ  ＵＳＥＲ＃１、パスワードＰＡＳＳ＃１を“http://open.TEL#1.USER#1.PASS#1/”のような形式で入力する。ＷＷＷブラウザは、この入力を受信すると、“open.TEL#1.USER#1.PASS#1”をホスト名と解釈し、ＤＮＳサーバに対して前記ホスト名に対するネーム問合せパケットを送信する（ステップＳ１１）。
【００１８】
通信接続装置３は、送受信されるＩＰパケットを常時モニタしており、ネーム問合せパケットを受信すると、受信パケットのメッセージの解析を行い（ステップＳ１３）、このメッセージの解析で特定コードがあるか否かを判定する（ステップＳ１５）。この判定で特定コードとして“open”コードを検出すると、この特定コードが発信要求コードであるか否かを判定する（ステップＳ１７）。この検出した“open”コードが発信要求であると判定すると、ネーム問合せパケットに設定されている電話番号ＴＥＬ＃１、ユーザＩＤ  ＵＳＥＲ＃１、パスワードＰＡＳＳ＃１を検出する（ステップＳ１９）。
【００１９】
それから、このように検出した電話番号ＴＥＬ＃１、ユーザＩＤ  ＵＳＥＲ＃１、パスワードＰＡＳＳ＃１から、ＴＥＬ＃１で記述されている電話番号に対してそれぞれＵＳＥＲ＃１、ＰＡＳＳ＃１で記述されるキャラクタコードを利用してダイヤルアップ接続を行う（ステップＳ２１）。
【００２０】
ダイヤルアップ接続が完了すると、通信接続装置３に予め割り当てられているＩＰアドレスを問合せ元に対してネーム回答パケットに設定して送信する（ステップＳ２３）。
【００２１】
次に、ユーザがダイヤルアップ接続先（ＮＡＳ＃１）７ａと接続中の回線を解放したい場合には、ユーザは、ＷＷＷブラウザから接続先の電話番号ＴＥＬ＃１を設定した切断要求を示す“close.TEL#1 ”を入力すると、ＷＷＷブラウザは、“close.TEL#1 ”をホスト名と解釈し、ＤＮＳサーバに対して該ホスト名に対するネーム問合せパケットを作成し、このパケットを通信接続装置３に送信する。
【００２２】
通信接続装置３は、送受信されるＩＰパケットを常時モニタしており、ネーム問合せパケットを受信すると（ステップＳ１１）、この受信したパケットのメッセージを解析する（ステップＳ１３）。このメッセージの解析で特定コードがあるか否かを判定し（ステップＳ１５）、特定コードとして“close ”コードを検出すると、この特定コードが発信要求コードであるか否かを判定する（ステップＳ１７）。この検出した“close ”コードが発信要求コードでなく、解放要求コードであると判定し、ネーム問合せパケットに設定されている電話番号ＴＥＬ＃１を検出する（ステップＳ２７）。そして、この検出した電話番号ＴＥＬ＃１に相当する呼を接続している回線を解放する（ステップＳ２９）。
【００２３】
また、ステップＳ１５の判定において、特定コードを検出できない場合には、通信接続装置３は、受信したネーム問合せパケットをダイヤルアップ接続先（ＮＡＳ＃１）７ａに送信する（ステップＳ２５）。
【００２４】
なお、上記実施形態では、通信接続装置３には一般に複数のＬＡＮ端末１および複数の通信回線が接続されているものであるが、両者とも複数である必要はなく、１つでも本発明は適用し得るものであり、またＬＡＮ端末１はＬＡＮ端末である必要はなく、通常の電話機端末でもよいものである。
【００２５】
【発明の効果】
以上説明したように、本発明によれば、端末においてダイヤルアップ接続を行うに当たってダイヤルアップ接続先の電話番号、ユーザＩＤ、パスワードを発信要求情報とともに設定したネーム問合せパケットを送信すると、このネーム問合せパケットを検出し、該パケットに含まれる電話番号、ユーザＩＤ、パスワードを使用してダイヤルアップ接続処理を行うので、従来のようにダイヤルアップ接続先の電話番号、各接続先毎に決められているユーザＩＤ、パスワードを事前に登録しておく必要がなく、インターネットへのアクセス毎にダイヤルアップ接続先を自由に変更することができ、使い勝手を向上することができる。
【図面の簡単な説明】
【図１】本発明の一実施形態に係る通信接続方法を実施する通信接続装置を適用したシステム構成を示す図である。
【図２】図１に示す実施形態の作用を示すフローチャートである。
【符号の説明】
１  ＬＡＮ端末
３  通信接続装置
５  電話回線
７ａ，７ｂ，７ｃ  ダイヤルアップ接続先
９  インターネット
【図１】
0003795292.tif 000002
【図２】
0003795292.tif 000003